(57)【特許請求の範囲】
【請求項１】
少なくとも１つの携帯通信端末と、携帯通信端末用のアプリケーションソフトを販売又は配信する少なくとも１つのアプリサービスサイトと、該少なくとも１つのアプリサービスサイトにリンクする情報が埋め込まれた広告を掲載している少なくとも１つの広告媒体サイトと、前記広告についての管理を行う管理サーバとがネットワークを介して互いに接続可能に構成されており、
前記管理サーバは、前記携帯通信端末が前記広告にアクセスした際に前記リンクする情報に従って該管理サーバを経由して前記アプリサービスサイトに接続する間に前記携帯通信端末に対してクッキー情報を送付するように構成されており、さらに、前記携帯通信端末が前記アプリサービスサイトから購入してインストールしたアプリケーションソフトの作動によって該アプリケーションソフトの広告に関する前記広告媒体サイトのトラッキングを行うように構成されており、
前記携帯通信端末は、前記アプリケーションソフトによってブラウザの前記管理サーバとの接続履歴の有無を判別するように構成されていると共に、該接続履歴が有る場合は、該アプリケーションソフトによって前記管理サーバへ接続するように構成されており、
前記管理サーバは、前記アプリケーションソフトによって前記携帯通信端末と接続された状態で、前記アプリケーションソフトによって、当該管理サーバ内のクッキー発行モジュールがクッキー情報を再度作成し該再度作成したクッキー情報を前記携帯通信端末へ送付するように構成されており、
前記携帯通信端末は、該送付されてきたクッキー情報を前記アプリケーションソフトによって用意されたクッキー領域に格納するように構成されており、
前記携帯通信端末は、前記アプリケーションソフトによって前記管理サーバと接続された状態で、前記アプリケーションソフトによって前記クッキー領域に格納されているクッキー情報を前記管理サーバへ送り返すように構成されており、
前記管理サーバは、該送り返されたクッキー情報に基づいて前記アプリケーションソフトの広告に関する前記広告媒体サイトのトラッキングを行うように構成されていることを特徴とするコンバージョントラッキングシステム。
【請求項２】
請求項１に記載のコンバージョントラッキングシステムと、前記トラッキングによって特定された前記アプリケーションソフトの広告に関する前記広告媒体サイトのアフィリエイタの成果報酬を算出する成果報酬算出手段とを備えていることを特徴とするネットワーク広告管理システム。
【請求項３】
請求項１に記載のコンバージョントラッキングシステムと、前記トラッキングによって特定された前記アプリケーションソフトの広告に関する費用対効果を表す指標を算出する広告効果測定手段とを備えていることを特徴とするネットワーク広告効果測定システム。
【発明の詳細な説明】
【技術分野】
【０００１】
本発明は、インターネットアクセス可能な携帯通信端末のユーザが、商用目的のウェブサイト上の成果報酬型広告に基づいてアプリケーションソフト（以下、アプリと称する）を購入したかどうかを追跡及び分析するコンバージョントラッキングシステム、このコンバージョントラッキングシステムを用いたネットワーク広告管理システム、及びこのコンバージョントラッキングシステムを用いたネットワーク広告効果測定システムに関する。
【背景技術】
【０００２】
インターネット広告としては、広告媒体のウェブサイトに設置された広告に基づいて、このウェブサイトの閲覧者が広告主の商品又はサービス等を購入し、生じた利益に応じて、広告媒体に成果報酬を与える成果報酬型広告が普及している。これは、例えば、個人が開設するブログなどの広告媒体サイト内に掲載されている広告バナー等をクリックしたユーザが、インターネットでの購買や登録等の所定のアクションに至った場合、これを広告の成功とみなして報酬（広告料）の対象とするものである。
【０００３】
コンバージョントラッキングシステムは、一般に、商用目的のウェブサイト上で獲得できる最終的な成果を追跡及び分析するシステムを称しており、この場合のコンバージョンは、ショッピングサイトであれば商品購入に、情報提供サイトやコミュニティサイトであれば会員登録等にそれぞれ対応している。このコンバージョントラッキングシステムは、アフィリエイトシステムの構築に利用されることが多く、特定ユーザのサイト内での行動を追跡及び分析して、どのルートを経由して商品購入や資料請求などの最終成果に結びついたのかを追跡することを可能とするものである。
【０００４】
特許文献１には、複数の広告主サイトのサーバと、広告主サイトの商品を掲載する複数のアフィリエイトサイトのサーバと、それらのアフィリエイトサービスを提供するアフィリエイトサービス提供サーバとをインターネットを介して接続可能とし、アフィリエイトサービス提供サーバがアフィリエイトサイトのサーバの動的サイトページ構築をサポートし、ユーザがアフィリエイトサイト内の商品を選択して広告主サイトに誘導され商品購入を完了した時に、それをトラッキングして広告報酬額を集計するアフィリエイトサービス提供システムが開示されている。
【０００５】
特許文献２には、端末ユーザが広告媒体サイトをクリックして広告主サイトにリダイレクトされた際に、その端末から取得される端末ＩＤを広告媒体サイト及び広告主と関連づけて記録し、その端末ユーザが広告に係る指定商品を購入してその商品のパッケージや添付シールに印刷されている確認ページＵＲＬにアクセスして、そのＵＲＬと共に印刷されているユニークなシリアルＩＤを送信して来た場合に、このシリアルＩＤをその端末から取得される端末ＩＤと関連づけて記録し、これら２つの記録を使って商品購入のきっかけとなった広告媒体サイトを特定するアフィリエイトトラッキングシステムが開示されている。
【先行技術文献】
【特許文献】
【０００６】
【特許文献１】特開２００７−１９３６１３号公報
【特許文献２】特開２０１０−２５０７５２号公報
【発明の概要】
【発明が解決しようとする課題】
【０００７】
特許文献１及び特許文献２に開示されているような従来のトラッキングシステムにおいては、ユーザ側の端末がパソコンや一般的な携帯電話等の通信端末であるため、広告主が運営する配信サービスサイトから商品の購入等が行われた際のトラッキングの開始指示は、システムに任意に設定することが可能であった。即ち、広告主は、商品購入のサンクスページ等を個人の責任でカスタマイズできるため、トラッキング開始を自由に設定して作動させることが可能であった。
【０００８】
しかしながら、最近の携帯通信端末、例えばＯＳにアンドロイド（Ａｎｄｒｏｉｄ）（登録商標）を用いたスマートフォン等の携帯通信端末（以下、アンドロイド携帯通信端末と称する）においては、その端末用のアプリを購入してインストールする場合、アフィリエイトサイトへの誘導はブラウザにて行い、アプリの実際のダウンロード及びインストールはアンドロイドマーケット等の配信サービスサイトにて行われるため、トラッキングの開始指示をこの配信サービスサイトに設定することが難しく、トラッキングシステム構築が非常に難しかった。即ち、アンドロイド携帯通信端末のアプリ購入及びインストールを行う場合、配信サービスサイトは主にアンドロイドマーケットとなるが、このアンドロイドマーケットでは、世界中のアプリ製作者が自由に販売することができるため、アフィリエイト対象アプリのためだけにトラッキング開始指示等のプログラムを設定するように変更することは、非常に難しく現実的ではないためである。
【０００９】
さらに、ほとんどのトラッキングソフトは、パソコン端末や携帯通信端末に記憶されているクッキーを利用して追跡を行う構成であるため、アンドロイド携帯通信端末のごとくブラウザに保存したクッキーをアプリが共有できない場合は、トラッキングが不可能であった。
【００１０】
従って本発明の目的は、配信サービスサイト側の設定変更なく、トラッキング開始指示が可能なコンバージョントラッキングシステム、ネットワーク広告管理システム、及びネットワーク広告効果測定システムを提供することにある。
【００１１】
本発明の他の目的は、ブラウザの保存したクッキーを利用できない場合にもトラッキングが可能なコンバージョントラッキングシステム、ネットワーク広告管理システム、及びネットワーク広告効果測定システムを提供することにある。
【課題を解決するための手段】
【００１２】
本発明によれば、少なくとも１つの携帯通信端末と、携帯通信端末用のアプリケーションソフトを販売又は配信する少なくとも１つのアプリサービスサイトと、少なくとも１つのアプリサービスサイトにリンクする情報が埋め込まれた広告を掲載している少なくとも１つの広告媒体サイトと、広告についての管理を行う管理サーバとがネットワークを介して互いに接続可能に構成されており、管理サーバは、携帯通信端末が広告にアクセスした際にリンクする情報に従ってこの管理サイトを経由してアプリサービスサイトに接続する間に携帯通信端末に対してクッキー情報を送付するように構成されており、さらに、携帯通信端末がアプリサービスサイトから購入してインストールしたアプリケーションソフトの作動によってアプリケーションソフトの広告に関する広告媒体サイトのトラッキングを行うように構成されているコンバージョントラッキングシステムが提供される。
【００１３】
広告媒体サイトに掲載されたアプリケーションソフトの広告をユーザが携帯通信端末からクリックすることにより、その広告に関するアプリケーションソフトの広告主サイトであるアプリサービスサイトへ誘導される。ユーザがアプリサービスサイトからそのアプリケーションソフトを購入してインストールして起動すると、アプリケーションソフトの作動によってその広告に関する広告媒体サイトのトラッキングが行われる。このため、携帯通信端末のブラウザが保存しているクッキー情報をアプリケーションが利用できない場合（アンドロイド携帯通信端末のごとくブラウザに保存したクッキーをアプリが共有できない場合）にもアプリサービスサイトの設定を変更することなく、トラッキング開始が可能となる。その結果、このような種類の携帯通信端末の普及を大幅に推進することができるのみならず、アプリケーションソフトの製作者又は販売者にとって、広告及び宣伝方法の選択肢を大幅に増やすことができる。
【００１４】
携帯通信端末は、アプリケーションソフトによってブラウザを起動して管理サーバへクッキー情報を送り返すように構成されており、管理サーバは、送り返されたクッキー情報に基づいてアプリケーションソフトの広告に関する広告媒体サイトのトラッキングを行うように構成されていることが好ましい。
【００１５】
携帯通信端末は、アプリケーションソフトによってブラウザの接続履歴の有無を判別するように構成されていると共に、接続履歴が有る場合は、アプリケーションソフトの制御により管理サーバへ接続するように構成されており、管理サーバは、アプリケーションソフトの制御によりクッキー情報を再作成し、再作成したクッキー情報を携帯通信端末へ送付するように構成されており、携帯通信端末は、アプリケーションソフトの制御により、再作成したクッキー情報を管理サーバへ送り返すように構成されており、管理サーバは、送り返されたクッキー情報に基づいてアプリケーションソフトの広告に関する広告媒体サイトのトラッキングを行うように構成されていることが好ましい。
【００１６】
管理サーバは、携帯通信端末がアプリサービスサイトから購入してインストールしたアプリケーションソフトを起動した後、トラッキングが未だ行われていない場合のみに、アプリケーションソフトの広告に関する広告媒体サイトのトラッキングを行うように構成されていることがより好ましい。トラッキングが未だ行われていないと判別された場合にのみトラッキングが行われるので、そのアプリケーションソフトについて１回のみのトラッキングが行われることとなり、正しい購入情報を獲得することができる。
【００１７】
この場合、アプリケーションソフトは、このアプリケーションソフトの広告に関するトラッキングが未だ行われていないか否かを表す情報を備えていることがより好ましい。
【００１８】
本発明によれば、さらに、上述したコンバージョントラッキングシステムと、トラッキングによって特定されたアプリケーションソフトの広告に関する広告媒体サイトのアフィリエイタの成果報酬を算出する成果報酬算出手段とを備えているネットワーク広告管理システムが提供される。
【００１９】
本発明によれば、さらにまた、上述したコンバージョントラッキングシステムと、トラッキングによって特定されたアプリケーションソフトの広告に関する費用対効果を表す指標を算出する広告効果測定手段とを備えているネットワーク広告効果測定システムが提供される。これにより、携帯通信端末において、広告の効果測定を容易に行え、アプリケーションソフトの製作者又は販売者にとって、効果的な広告及び宣伝方法を容易に知ることができる。
【００２０】
広告効果測定手段は、広告表示回数、広告クリック回数、及びアプリ購入数の少なくとも１つを読み出して及び集計することにより、指標を算出するように構成されていることが好ましい。
【００２１】
本発明によれば、さらに、少なくとも１つの携帯通信端末と、携帯通信端末用のアプリケーションソフトを販売又は配信する少なくとも１つのアプリサービスサイトと、少なくとも１つのアプリサービスサイトにリンクする情報が埋め込まれた広告を掲載している少なくとも１つの広告媒体サイトと、広告についての管理を行う管理サーバとがネットワークを介して互いに接続可能に構成されており、管理サーバは、携帯通信端末が広告にアクセスした際にリンクする情報に従ってこの管理サイトを経由してアプリサービスサイトに接続する間に、携帯通信端末に対してクッキー情報を送付するように構成されており、携帯通信端末は、アプリサービスサイトから購入してインストールしたアプリケーションソフトを起動した後、トラッキングが未だ行われていない場合のみに、ブラウザを起動して管理サーバへクッキー情報を送り返すように構成されており、管理サーバは、送り返されたクッキー情報に基づいてアプリケーションソフトの広告に関する広告媒体サイトのトラッキングを行うように構成されているコンバージョントラッキングシステムが提供される。
【００２２】
本発明によれば、さらにまた、少なくとも１つの携帯通信端末と、携帯通信端末用のアプリケーションソフトを販売又は配信する少なくとも１つのアプリサービスサイトと、少なくとも１つのアプリサービスサイトにリンクする情報が埋め込まれた広告を掲載している少なくとも１つの広告媒体サイトと、広告についての管理を行う管理サーバとがネットワークを介して互いに接続可能に構成されており、管理サーバは、携帯通信端末が広告にアクセスした際にリンクする情報に従ってこの管理サイトを経由してアプリサービスサイトに接続する間に、携帯通信端末に対してクッキー情報を送付するように構成されており、携帯通信端末は、アプリサービスサイトから購入してインストールしたアプリケーションソフトを起動した後、トラッキングが未だ行われていない場合のみに、ブラウザの接続履歴の有無を判別するように構成されていると共に、接続履歴が有る場合は、アプリケーションソフトの制御により管理サーバへ接続するように構成されており、管理サーバは、アプリケーションソフトの制御によりクッキー情報を再作成し、再作成したクッキー情報を携帯通信端末へ送付するように構成されており、携帯通信端末は、アプリケーションソフトの制御により、再作成したクッキー情報を管理サーバへ送り返すように構成されており、管理サーバは、送り返されたクッキー情報に基づいてアプリケーションソフトの広告に関する広告媒体サイトのトラッキングを行うように構成されているコンバージョントラッキングシステムが提供される。
【発明の効果】
【００２３】
本発明によれば、携帯通信端末のブラウザが保存しているクッキー情報をアプリケーションが利用できない場合（アンドロイド携帯通信端末のごとくブラウザに保存したクッキーをアプリが共有できない場合）にもアプリサービスサイトの設定を変更することなく、トラッキング開始が可能となる。その結果、このような種類の携帯通信端末の普及を大幅に推進することができるのみならず、アプリケーションソフトの製作者又は販売者にとって、広告及び宣伝方法の選択肢を大幅に増やすことができる。
【図面の簡単な説明】
【００２４】
【図１】本発明の一実施形態として、ネットワーク広告管理システムの構成を概略的に示すブロック図である。
【図２】図１の実施形態において、ユーザがアンドロイド携帯通信端末を用いてアンドロイドアプリを購入するまでの処理の一例を示すフローチャートである。
【図３】図２の処理における各サイトの動作を説明する図である。
【図４】図１の実施形態において、ユーザがアプリを購入した後、アフィリエイタに成果報酬が支払われるまでの処理の一例を示すフローチャートである。
【図５】図４の処理における各サイトの動作を説明する図である。
【図６】図４の処理における各サイトの動作を説明する図である。
【図７】本発明の他の実施形態として、ネットワーク広告管理システムにおいて、ユーザがアプリを購入した後、アフィリエイタに成果報酬が支払われるまでの処理の一例を示すフローチャートである。
【図８】本発明のさらに他の実施形態として、ネットワーク広告効果測定システムの構成を概略的に示すブロック図である。
【図９】図８の実施形態において、広告効果測定処理の一例を示すフローチャートである。
【発明を実施するための形態】
【００２５】
図１は本発明の一実施形態として、ネットワーク広告管理システムの構成を概略的に示すブロック図である。
【００２６】
同図において、１０はユーザが用いる例えばアンドロイドスマートフォン等のアンドロイド携帯通信端末、１１はアフェリエイタが運営する広告媒体サイト（アフェリエイトサイト）、１２はアンドロイド携帯通信端末用のアンドロイドアプリ（以下、単にアプリと称する）を販売又は配信する配信サービスサイトである、例えばアンドロイドマーケット等のアプリサービスサイト、１３は広告についての代理及び管理を行う広告代理及び管理サーバ（アフェリエイトプログラムサービスプロバイダ、ＡＳＰ）、１４はこれら携帯通信端末１０、広告媒体サイト１１、アプリサービスサイト１２並びに広告代理及び管理サーバ１３を互いに接続可能とするネットワークであるインターネット、１５はアプリサービスサイト１２にてアプリを販売する広告主をそれぞれ示している。
【００２７】
なお、図１には、単一のアンドロイド携帯通信端末１０、単一の広告媒体サイト１１、単一のアプリサービスサイト１２及び単一の広告主１５が表示されているが、実際には、複数のアンドロイド携帯通信端末、複数の広告媒体サイト、複数のアプリサービスサイト及び複数の広告主がインターネット１４に接続されるように構成されていても良い。
【００２８】
本実施形態のネットワーク広告管理システムによれば、広告媒体サイト１１に掲載されたアプリ（商品）の広告をユーザがアンドロイド携帯通信端末１０からクリックすることにより、その広告に関するアプリの広告主サイトであるアプリサービスサイト１２へ誘導される。ユーザがアプリサービスサイト１２からそのアプリを購入しインストールして起動した後、トラッキングが未だ行われていない（最初のトラッキングである）と判別された場合のみにトラッキングが開始されてその購入したアプリの広告の広告媒体サイト１１が特定され、その広告媒体サイト１１のアフィリエイタに所定の成果報酬が支払われる。
【００２９】
広告媒体サイト１１は、アンドロイドマーケットであるアプリサービスサイト１２で販売するアプリの広告が掲載されたサイトページをアンドロイド携帯通信端末１０に提供するように構成されている。
【００３０】
アプリサービスサイト１２は、オンライン上でアプリの販売及び配信を行う商用サイトであり、公開され購入可能な種々のアプリ、それらの製作者又は販売者情報等を保持している。このアプリサービスサイト１２は、アプリ販売者である広告主１５が自由にアプリをアップロードし、販売することが出来る仕組みになっており、価格も自由に設定ができる仕組みとなっている。
【００３１】
広告主１５は、広告代理及び管理サーバ１３と契約をしている、アプリの製作者又は販売者であり、広告代理及び管理サーバ１３が配布するＳＤＫ（ソフトウェア開発キット）を使用して製作したアプリをアプリサービスサイト１２にアップロードしてアプリの販売を行う。また、広告主１５は、広告代理及び管理サーバ１３を経由してアフィリエイタに対しての報酬支払いを行う。
【００３２】
アンドロイド携帯通信端末１０は、そのブラウザによりインターネット１４を介して広告媒体サイト１１にアクセスして、サイトページを閲覧表示できるように構成されている。表示されたサイトページ内の所望の広告をクリックすると、その広告表示箇所に埋め込まれているＵＲＬに基づいて、その広告のアプリを販売するアプリサービスサイト１２に、広告代理及び管理サーバ１３を介してアクセスするように構成されている。
【００３３】
広告代理及び管理サーバ１３は、広告媒体サイト１１で掲載可能なアプリの商品データを格納する商品データベース部、広告主及び広告主プログラムの情報（広告主の報酬料率）を格納するプログラムデータベース部、並びにバナー広告の画像のＵＲＬ等を格納する広告素材データベース部等を有するデータベース１３ａと、ユーザが広告媒体サイト１１の広告を表示したときやその広告のアプリ等にアクセスしたときのログを集計し、ユーザがアプリサービスサイト１２内でアプリの購入手続きを行いインストールして起動して、最初のトラッキングを行う時のみ（そのアプリについてトラッキングが未だ行われていないと判別された場合にのみ）、どの広告媒体サイトからアクセスしてきてどのアプリについて購入したかをトラッキングし、そのログを集計して広告報酬額を算出して報告するアフィリエイトサービスユニット１３ｂとを備えている。
【００３４】
アフィリエイトサービスユニット１３ｂは、例えばインプレッションモジュール１３ｂ１、アクセス集計モジュール１３ｂ２、クッキー発行モジュール１３ｂ３、リダイレクトモジュール１３ｂ４、トラッキングモジュール１３ｂ５及び報告モジュール１３ｂ６を有しており、アンドロイド携帯通信端末１０がアプリサービスサイト１２からアプリを購入してインストールし、最初のトラッキングであると判別されたときに、アフィリエイトの報酬金額計算のためのトラッキング等を行う。
【００３５】
インプレッションモジュール１３ｂ１は、アンドロイド携帯通信端末１０が広告媒体サイト１１にアクセスした際にサイト内の広告を表示する回数（広告表示回数）を集計してデータベース１３ａに格納する。
【００３６】
アクセス集計モジュール１３ｂ２は、広告媒体サイト１１内でアプリの広告をクリックした回数（広告クリック回数）と、クリックすることによりそのリンク情報によってアプリサービスサイト１２からアプリを購入してインストールした回数（アプリ購入数）とを集計してデータベース１３ａに格納する。
【００３７】
クッキー発行モジュール１３ｂ３は、このアクセス時に広告・プログラム管理ＩＤ及び広告媒体サイトＩＤ（アフェリエイトＩＤ）等が含まれたクッキー情報を発行しアンドロイド携帯通信端末１０のブラウザのキャッシュエリアにおけるクッキー領域１０ａに記憶させる。ここで、広告・プログラム管理ＩＤは、広告テーブル及びプログラムテーブルを管理するＩＤであり、これら広告テーブル及びプログラムテーブルを参照することにより、ユーザを後に認識するためのユニークＩＤ、広告媒体サイトＩＤ、広告代理及び管理サーバＩＤ、バナー広告ＩＤ、及びセッション開始日時（タイムスタンプ）等を知ることができる。
【００３８】
このアクセス集計及びクッキー発行のためには、アンドロイド携帯通信端末１０が広告媒体サイト１１内で広告を選択してアプリサービスサイト１２に接続するときにアンドロイド携帯通信端末１０をこの広告代理及び管理サーバ１３を経由させる必要がある。そのため上述したリンク情報は、広告代理及び管理サーバ１３のドメイン名を有している。これにより、アフィリエイトサービスユニット１３ｂのリダイレクトモジュール１３ｂ４がアンドロイド携帯通信端末１０からのアクセスをアプリサービスサイト１２のアプリのＵＲＬにリダイレクトする。その結果、アンドロイド携帯通信端末１０は見かけ上は広告媒体サイト１１からアプリサービスサイト１２のアプリのＵＲＬに直接的にアクセスしたように処理される。
【００３９】
トラッキングモジュール１３ｂ５は、アンドロイド携帯通信端末１０が購入しインストールしたアプリを起動して、最初のトラッキングを行う時のみ（そのアプリについてトラッキングが未だ行われていないと判別された場合にのみ）にアンドロイド携帯通信端末１０からトラッキング開始指示を受け、さらにブラウザが、広告代理及び管理サーバ１３を経由する際にクッキー領域１０ａからクッキー情報を取得し、広告代理及び管理サーバ１３に対して送出することにより、クッキー情報内の広告・プログラム管理ＩＤ及び広告媒体サイトＩＤに基づいて購入ログをデータベース１３ａに記憶する。
【００４０】
報告モジュール１３ｂ６は、データベース１３ａ内の報酬条件を参照してアフィリエイト報酬額を求めてデータベース１３ａに格納する。報酬額には、商品購入に伴う成果報酬額以外に、広告のクリック回数（広告クリック回数）に基づくアクセス報酬額、広告の実効的な表示回数（広告表示回数）に基づくインプレッション報酬額等を加算してもよい。
【００４１】
次に、本実施形態において、ユーザがアンドロイド携帯通信端末１０を用いてアプリサービスサイト１２からアプリを購入するまでの処理動作について、具体的に説明する。図２はこの処理の一例を示すフローチャートであり、図３はこの処理における各サイトの動作を説明する図である。
【００４２】
なお、図３に示すように、アプリ製作者又は販売者である広告主１５は、自己の製作した又は販売するアプリ（商品）について、アプリサービスサイト１２にアップロードして公開するように申請し、同時に広告代理及び管理サーバ１３の管理画面にてそのアプリ（商品）情報を登録し広告を作成する。これにより、広告代理及び管理サーバ１３のデータベース１３ａには、広告情報、商品情報、及び商品報酬情報等が互いに対応付けて格納される。
【００４３】
広告情報は、アプリ製作者又は販売者情報（ＩＤ等）、バナー広告のイメージ又はそのイメージが存在するＵＲＬ、その広告のリンク先ＵＲＬ、その広告がユーザによってクリックされたかどうかを表す広告クリック情報、並びにテキスト広告のテキスト及びリンク先ＵＲＬ等を含んでいる。商品情報は、アプリ製作者又は販売者情報（ＩＤ等）、商品が展示されているリンク先ＵＲＬである商品ＵＲＬ、及び商品のイメージ又はそのイメージが存在するＵＲＬ等を含んでいる。商品報酬情報は、各商品についての報酬条件（料率又は定額）、及び報酬実績等を含んでいる。
【００４４】
広告媒体サイト１１は、広告代理及び管理サーバ１３に対して、自己のサイトページに掲載するに適したアプリ（商品）の広告の検索を要求し、広告代理及び管理サーバ１３は要求に対応するアプリ広告データ及びリンク情報を広告媒体サイト１１へ提供する。これにより、広告媒体サイト１１ではサイトページにリンク情報（広告代理及び管理サーバ１３のＵＲＬを含む）が埋め込まれた広告バナーが掲載される。
【００４５】
この状態で、アンドロイド携帯通信端末１０のユーザがブラウザを利用して広告媒体サイト１１へアクセスすると（図２のステップＳ１）、広告媒体サイト１１のサイトページがアンドロイド携帯通信端末１０のディスプレイに表示される（図２のステップＳ２）。ユーザがそのサイトページのうちの特定のアプリの広告バナーをクリックし、クリックがあったことが判別されると（図２のステップＳ３）、ブラウザは広告代理及び管理サーバ１３に接続される（図２のステップＳ４）。
【００４６】
広告代理及び管理サーバ１３側においては、クリックされた広告バナーに関する広告クリック情報がデータベース１３ａに保存される（図２のステップＳ５）。
なお、アフィリエイトサービスユニット１３ｂのインプレッションモジュール１３ｂ１及びアクセス集計モジュール１３ｂ２によって、広告表示回数、広告クリック回数、及びアプリ購入数等が集計されデータベース１３ａに格納される。
【００４７】
次いで、アフィリエイトサービスユニット１３ｂのクッキー発行モジュール１３ｂ３によって、例えば、ユーザを後に認識するためのユニークＩＤ、広告媒体サイトＩＤ、広告代理及び管理サーバＩＤ、バナー広告ＩＤ、及びセッション開始日時（タイムスタンプ）等が参照できるクッキー情報が作成され（図２のステップＳ６）、このデータベース１３ａに保存されると共に、アンドロイド携帯通信端末１０のブラウザにおけるクッキー領域に格納される（図２のステップＳ７）。なお、周知のように、このクッキー情報に含まれるユニークＩＤは、アンドロイド携帯通信端末１０に対してのみ発行されるＩＤであるが、この端末自体の情報は有していない。
【００４８】
一方、アフィリエイトサービスユニット１３ｂのリダイレクトモジュール１３ｂ４により、アンドロイド携帯通信端末１０には、アプリサービスサイト１２からのアプリの表示が行われる（図２のステップＳ８）。その表示されたアプリを購入する場合、ユーザはその購入ボタンをクリックする。クリックがなされた（購入した）と判別されると（図２のステップＳ９）、そのアプリがアプリサービスサイト１２からアンドロイド携帯通信端末１０に配信され（図２のステップＳ１０）、アンドロイド携帯通信端末１０はそのアプリのインストールを行って（図２のステップＳ１１）、この処理は終了する。なお、購入を行わない場合も、この処理は終了する（図２のステップＳ９）。そのアプリについて購入を行ったかどうかの情報も、広告代理及び管理サーバ１３のデータベース１３ａにそのアプリの他の情報と対応付けられて格納される。
【００４９】
次に、本実施形態において、ユーザがアプリを購入した後、アフィリエイタに成果報酬が支払われるまでの処理動作について、具体的に説明する。図４はこの処理の一例を示すフローチャートであり、図５及び図６はこの処理における各サイトの動作を説明する図である。
【００５０】
アンドロイド携帯通信端末１０において、ユーザが購入したアプリを起動させると（図４のステップＳ１１）、そのアプリについて未だトラッキングが行われていないかどうか（最初のトラッキングを行う場合であるかどうか）が判別される（図４のステップＳ１２）。最初のアプリ起動ではなく、最初のトラッキングとしているのは、例えば最初の起動時に通信が行えず、インターネットに接続できない場合が起こり得るからである。通信できなかった場合には、次の起動時に以下の処理を行うこととなるため、最初のトラッキングを判別しているのである。なお、本実施形態において適用される全てのアプリには、アプリの制御により、未だトラッキングが行われていないのかどうかを判別可能なフラグ情報が利用でき、アプリはそのフラグ情報を参照して最初のトラッキングがなされているかどうかを知ることができる。このようなフラグ情報は、アプリを開発する際に利用できるオブジェクトに組み込まれており、アプリの開発者はそのオブジェクトを自由に使用してプログラムを作成することができる。即ち、広告主１５は、アプリを製作する際に、広告代理店及び管理サーバ１３から配布されるＳＤＫ（ソフトウェア開発キット）を利用してこのアプリを製作する。これにより、本実施形態で行うようなトラッキングが実現できることとなる。
【００５１】
トラッキングが既に行われていると判別した場合（ＮＯの場合）は、処理動作を終了し、アプリの制御処理を続行する。一方、未だトラッキングが行われていないと判別した場合（ＹＥＳの場合、即ち最初のトラッキングである場合）は、アプリからブラウザを起動する（図４のステップＳ１３）。
【００５２】
次いで、このブラウザによって、アンドロイド携帯通信端末１０を広告代理及び管理サーバ１３に接続し（図４のステップＳ１４）、図５に示すように、ブラウザの保持するクッキー情報を広告代理及び管理サーバ１３に送って、トラッキングを開始させる（図４のステップＳ１５）。なお、この場合の処理は、ブラウザの機能を利用しており、クッキー情報送信はブラウザが自動的に行っているため、アプリ内部での処理として特に意識する必要がない。
【００５３】
広告代理及び管理サーバ１３においては、アフィリエイトサービスユニット１３ｂのトラッキングモジュール１３ｂ５が、広告バナーに関する広告情報をデータベース１３ａから読み出し（図４のステップＳ１６）、受け取ったクッキー情報とそのデータベース１３ａから読出した広告情報とを照合し、クッキー情報のユーザ用ユニークＩＤとデータベース１３ａから読出した広告情報におけるユニークＩＤとが一致するかどうか判別される（図４のステップＳ１７）。
【００５４】
一致するＩＤがある場合は、アプリの購入又はインストール情報をこのデータベース１３ａにそのＩＤに対応させて格納する（図４のステップＳ１８）。
【００５５】
次いで、アフィリエイトサービスユニット１３ｂの報告モジュール１３ｂ６は、この購入されたアプリに関して、データベース１３ａ内の報酬条件を参照してアフィリエイト報酬額を求め、図６に示すように、広告主１５の承認を受ける（図４のステップＳ１９）。さらに、図６に示すように、承認された場合は、その成果報酬をアプリの情報と対応させてデータベース１３ａに格納する。
【００５６】
その後、広告主１５は、広告媒体サイト１１に成果報酬を支払う（図４のステップＳ２０）。
【００５７】
次いで、アンドロイド携帯通信端末１０においては、ブラウザからアプリに制御が戻され（図４のステップＳ２１）、アプリの処理が開始される。
【００５８】
以上詳細に説明したように、本実施形態によれば、広告媒体サイト１１に掲載されたアプリ（商品）の広告をユーザがアンドロイド携帯通信端末１０からクリックすることにより、その広告に関するアプリの広告主サイトであるアプリサービスサイト１２へ誘導される。これらのアプリには、そのアプリについてトラッキングが未だ行われていないかどうかを認識できる情報とブラウザを起動するプログラムとが組み込まれており、ユーザがアプリサービスサイト１２からそのアプリを購入してインストールして起動して、最初のトラッキングを行う時のみ（そのアプリについてトラッキングが未だ行われていないと判別された場合にのみ）、ブラウザが起動され、ブラウザの保持するクッキー情報が広告代理及び管理サーバ１３へ送られ、トラッキングが開始されてその購入したアプリの広告の広告媒体サイト１１が特定され、その広告媒体サイト１１のアフィリエイタの成果報酬が算出されて、その成果報酬が支払われる。トラッキングが未だ行われていないと判別された場合にのみトラッキングが行われるので、そのアプリについて１回のみのトラッキングが行われることとなり、正しい購入情報を獲得することができる。また、アンドロイド携帯通信端末１０のブラウザが保存しているクッキー情報をアプリが利用できない場合にもアプリサービスサイト１２の設定を変更することなく、トラッキング開始が可能となる。その結果、アンドロイド携帯通信端末の普及を大幅に推進することができるのみならず、アンドロイドアプリの製作者又は販売者にとって、広告及び宣伝方法の選択肢を大幅に増やすことができる。
【００５９】
図７は本発明の他の実施形態として、ネットワーク広告管理システムにおいて、ユーザがアプリを購入した後、アフィリエイタに成果報酬が支払われるまでの処理の一例を示すフローチャートである。
【００６０】
本実施形態において、ネットワーク広告管理システムの構成、ユーザがアプリを購入するまでの処理動作は図１の実施形態の場合と同様であるため、説明を省略する。
【００６１】
以下、本実施形態において、ユーザがアプリを購入した後、アフィリエイタに成果報酬が支払われるまでの処理動作について、図７を用いて具体的に説明する。
【００６２】
アンドロイド携帯通信端末１０において、ユーザが購入したアプリを起動させると（図７のステップＳ３１）、そのアプリについて未だトラッキングが行われていないかどうか（最初のトラッキングを行う場合であるかどうか）が判別される（図７のステップＳ３２）。なお、本実施形態において適用される全てのアプリには、アプリの制御により、未だトラッキングが行われていないのかどうかを判別可能なフラグ情報が利用でき、アプリはそのフラグ情報を参照して最初のトラッキングがなされているかどうかを知ることができる。このようなフラグ情報は、アプリを開発する際に利用できるオブジェクトに組み込まれており、アプリの開発者はそのオブジェクトを自由に使用してプログラムを作成することができる。即ち、広告主１５は、アプリを製作する際に、広告代理店及び管理サーバ１３から配布されるＳＤＫを利用してこのアプリを製作する。これにより、本実施形態で行うようなトラッキングが実現できることとなる。
【００６３】
トラッキングが既に行われていると判別した場合（ＮＯの場合）は、処理動作を終了し、アプリの制御処理を続行する。一方、未だトラッキングが行われていないと判別した場合（ＹＥＳの場合、即ち最初のトラッキングである場合）は、アプリの制御によってブラウザの履歴を取得する（図７のステップＳ３３）。次いで、取得した接続履歴から広告代理及び管理サーバ１３への接続履歴があるかどうか判別し（図７のステップＳ３４）、接続履歴があると判別した場合は、アプリの制御によってアンドロイド携帯通信端末１０を広告代理及び管理サーバ１３に接続する（図７のステップＳ３５）。なお、接続履歴がないと判別した場合は、この処理動作を終了する。
【００６４】
広告代理及び管理サーバ１３側においては、クリックされた広告バナーに関する広告クリック情報がデータベース１３ａに保存される（図７のステップＳ３６）。なお、アフィリエイトサービスユニット１３ｂのインプレッションモジュール及びアクセス集計モジュールによって、広告媒体サイト１１内での広告の表示回数やアンドロイド携帯通信端末１０によるアクセス回数等が集計されデータベース１３ａに格納される。
【００６５】
次いで、アフィリエイトサービスユニット１３ｂのクッキー発行モジュールによって、例えば、ユーザを後に認識するためのユニークＩＤ、広告媒体サイトＩＤ、広告代理及び管理サーバＩＤ、バナー広告ＩＤ、及びセッション開始日時（タイムスタンプ）等を含むクッキー情報が再度作成され（図７のステップＳ３７）、このデータベース１３ａに保存されると共に、アンドロイド携帯通信端末１０のアプリによって用意されたクッキー領域に格納される（図７のステップＳ３８）。なお、周知のように、このクッキー情報に含まれるユニークＩＤは、アンドロイド携帯通信端末１０に対してのみ発行されるＩＤであるが、この端末自体の情報は有していない。
【００６６】
アンドロイド携帯通信端末１０のアプリは、次いで、このアンドロイド携帯通信端末１０を広告代理及び管理サーバ１３に接続する（図７のステップＳ３９）。次いで、図５に示すように、アプリの保持するクッキー情報を広告代理及び管理サーバ１３に送ってトラッキングを開始させる（図７のステップＳ４０）。
【００６７】
広告代理及び管理サーバ１３においては、アフィリエイトサービスユニット１３ｂのトラッキングモジュールが、広告バナーに関する広告情報をデータベース１３ａから読み出し（図７のステップＳ４１）、受け取ったクッキー情報とそのデータベース１３ａから読出した広告情報とを照合し、クッキー情報のユーザ用ユニークＩＤとデータベース１３ａから読出した広告情報におけるユニークＩＤとが一致するかどうか判別される（図７のステップＳ４２）。
【００６８】
一致するＩＤがある場合は、アプリの購入又はインストール情報をこのデータベース１３ａにそのＩＤに対応させて格納する（図７のステップＳ４３）。
【００６９】
次いで、アフィリエイトサービスユニット１３ｂの報告モジュールは、この購入されたアプリに関して、データベース１３ａ内の報酬条件を参照してアフィリエイト報酬額を求め、図６に示すように、広告主１５の承認を受ける（図７のステップＳ４４）。さらに、図６に示すように、承認された場合は、その成果報酬をアプリの情報と対応させてデータベース１３ａに格納する。
【００７０】
その後、広告主１５は、広告媒体サイト１１に成果報酬を支払う（図７のステップＳ４５）。
【００７１】
以上詳細に説明したように、本実施形態によれば、広告媒体サイト１１に掲載されたアプリ（商品）の広告をユーザがアンドロイド携帯通信端末１０からクリックすることにより、その広告に関するアプリの広告主サイトであるアプリサービスサイト１２へ誘導される。これらのアプリには、そのアプリについてトラッキングが未だ行われていないかどうかを認識できる情報とアプリ自体でクッキー情報を取得するプログラムとが組み込まれており、ユーザがアプリサービスサイト１２からそのアプリを購入してインストールして起動して、最初のトラッキングを行う時のみ（そのアプリについてトラッキングが未だ行われていないと判別された場合にのみ）、アプリによって広告代理及び管理サーバ１３において再度クッキー情報が作成され、このアプリが用意する領域に格納される。次いで、このアプリの保持するクッキー情報が広告代理及び管理サーバ１３へ送られ、トラッキングが開始されてその購入したアプリの広告の広告媒体サイト１１が特定され、その広告媒体サイト１１のアフィリエイタの成果報酬が算出されて、その成果報酬が支払われる。トラッキングが未だ行われていないと判別された場合にのみトラッキングが行われるので、そのアプリについて１回のみのトラッキングが行われることとなり、正しい購入情報を獲得することができる。また、アンドロイド携帯通信端末１０のブラウザが保存しているクッキー情報をアプリが利用できない場合にもアプリサービスサイト１２の設定を変更することなく、トラッキング開始が可能となる。その結果、アンドロイド携帯通信端末の普及を大幅に推進することができるのみならず、アンドロイドアプリの製作者又は販売者にとって、広告及び宣伝方法の選択肢を大幅に増やすことができる。
【００７２】
図８は本発明のさらに他の実施形態として、ネットワーク広告効果測定システムの構成を概略的に示すブロック図である。
【００７３】
同図において、１０はユーザが用いる例えばアンドロイドスマートフォン等のアンドロイド携帯通信端末、１１はアフェリエイタが運営する広告媒体サイト（アフェリエイトサイト）、１２はアンドロイド携帯通信端末用のアプリを販売又は配信する配信サービスサイトである、例えばアンドロイドマーケット等のアプリサービスサイト、１３は広告についての代理及び管理を行う広告代理及び管理サーバ（アフェリエイトプログラムサービスプロバイダ、ＡＳＰ）、１４はこれら携帯通信端末１０、広告媒体サイト１１、アプリサービスサイト１２並びに広告代理及び管理サーバ１３を互いに接続可能とするネットワークであるインターネット、１５はアプリサービスサイト１２にてアプリを販売する広告主をそれぞれ示している。
【００７４】
なお、図８には、単一のアンドロイド携帯通信端末１０、単一の広告媒体サイト１１単一のアプリサービスサイト１２及び単一の広告主１５が表示されているが、実際には、複数のアンドロイド携帯通信端末、複数の広告媒体サイト、複数のアプリサービスサイト及び複数の広告主がインターネット１４に接続されるように構成されていても良い。
【００７５】
本実施形態のネットワーク広告効果測定システムによれば、広告媒体サイト１１に掲載されたアプリ（商品）の広告をユーザがアンドロイド携帯通信端末１０からクリックすることにより、その広告に関するアプリの広告主サイトであるアプリサービスサイト１２へ誘導される。ユーザがアプリサービスサイト１２からそのアプリを購入しインストールして起動した後、トラッキングが未だ行われていない（最初のトラッキングである）と判別された場合のみにトラッキングが開始されてその購入したアプリの広告の広告媒体サイト１１が特定される。このようなコンバージョントラッキングが行われて、その広告媒体サイト１１における各広告バナーの広告表示回数、広告クリック回数、及び実際に購入が発生した数を表す売上げ数（アプリ購入数）が集計され、広告の費用対効果を表す各種指標が算出される。
【００７６】
広告媒体サイト１１は、アンドロイドマーケットであるアプリサービスサイト１２で販売するアプリの広告が掲載されたサイトページをアンドロイド携帯通信端末１０に提供するように構成されている。
【００７７】
アプリサービスサイト１２は、オンライン上でアプリの販売及び配信を行う商用サイトであり、公開され購入可能な種々のアプリ、それらの製作者又は販売者情報等を保持している。このアプリサービスサイト１２は、アプリ販売者である広告主１５が自由にアプリをアップロードし、販売することが出来る仕組みになっており、価格も自由に設定ができる仕組みとなっている。
【００７８】
広告主１５は、広告代理及び管理サーバ１３と契約をしている、アプリの製作者又は販売者であり、広告代理及び管理サーバ１３が配布するＳＤＫを使用して製作したアプリをアプリサービスサイト１２にアップロードしてアプリの販売を行う。また、広告主１５は、広告代理及び管理サーバ１３を経由してアフィリエイタに対しての報酬支払いを行う。
【００７９】
アンドロイド携帯通信端末１０は、そのブラウザによりインターネット１４を介して広告媒体サイト１１にアクセスして、サイトページを閲覧表示できるように構成されている。表示されたサイトページ内の所望の広告をクリックすると、その広告表示箇所に埋め込まれているＵＲＬに基づいて、その広告のアプリを販売するアプリサービスサイト１２に、広告代理及び管理サーバ１３を介してアクセスするように構成されている。
【００８０】
広告代理及び管理サーバ１３は、広告媒体サイト１１で掲載可能なアプリの商品データを格納する商品データベース部、広告主及び広告主プログラムの情報（広告主の報酬料率）を格納するプログラムデータベース部、並びにバナー広告の画像のＵＲＬ等を格納する広告素材データベース部等を有するデータベース１３ａと、ユーザが広告媒体サイト１１の広告を表示したときやその広告のアプリ等にアクセスしたときのログを集計し、ユーザがアプリサービスサイト１２内でアプリの購入手続きを行いインストールして起動して、最初のトラッキングを行う時のみ（そのアプリについてトラッキングが未だ行われていないと判別された場合にのみ）、どの広告媒体サイトからアクセスしてきてどのアプリについて購入したかをトラッキングし、そのログを集計して広告報酬額を算出して報告するアフィリエイトサービスユニット１３ｂと、広告効果測定ユニット１３ｃとを備えている。
【００８１】
アフィリエイトサービスユニット１３ｂは、例えばインプレッションモジュール１３ｂ１、アクセス集計モジュール１３ｂ２、クッキー発行モジュール１３ｂ３、リダイレクトモジュール１３ｂ４、トラッキングモジュール１３ｂ５及び報告モジュール１３ｂ６を有しており、アンドロイド携帯通信端末１０がアプリサービスサイト１２からアプリを購入してインストールし、最初のトラッキングであると判別されたときに、アフィリエイトの報酬金額計算のためのトラッキング等を行う。
【００８２】
インプレッションモジュール１３ｂ１は、アンドロイド携帯通信端末１０が広告媒体サイト１１にアクセスした際にサイト内の広告を表示する回数（広告表示回数）を集計してデータベース１３ａに格納する。
【００８３】
アクセス集計モジュール１３ｂ２は、広告媒体サイト１１内でアプリの広告をクリックした回数（広告クリック回数）と、クリックすることによりそのリンク情報によってアプリサービスサイト１２からアプリを購入してインストールした回数（アプリ購入数）とを集計してデータベース１３ａに格納する。
【００８４】
クッキー発行モジュール１３ｂ３は、このアクセス時に広告・プログラム管理ＩＤ及び広告媒体サイトＩＤ（アフェリエイトＩＤ）等が含まれたクッキー情報を発行しアンドロイド携帯通信端末１０のブラウザのキャッシュエリアにおけるクッキー領域１０ａに記憶させる。ここで、広告・プログラム管理ＩＤは、広告テーブル及びプログラムテーブルを管理するＩＤであり、これら広告テーブル及びプログラムテーブルを参照することにより、ユーザを後に認識するためのユニークＩＤ、広告媒体サイトＩＤ、広告代理及び管理サーバＩＤ、バナー広告ＩＤ、及びセッション開始日時（タイムスタンプ）等を知ることができる。
【００８５】
このアクセス集計及びクッキー発行のためには、アンドロイド携帯通信端末１０が広告媒体サイト１１内で広告を選択してアプリサービスサイト１２に接続するときにアンドロイド携帯通信端末１０をこの広告代理及び管理サーバ１３を経由させる必要がある。そのため上述したリンク情報は、広告代理及び管理サーバ１３のドメイン名を有している。これにより、アフィリエイトサービスユニット１３ｂのリダイレクトモジュール１３ｂ４がアンドロイド携帯通信端末１０からのアクセスをアプリサービスサイト１２のアプリのＵＲＬにリダイレクトする。その結果、アンドロイド携帯通信端末１０は見かけ上は広告媒体サイト１１からアプリサービスサイト１２のアプリのＵＲＬに直接的にアクセスしたように処理される。
【００８６】
トラッキングモジュール１３ｂ５は、アンドロイド携帯通信端末１０が購入しインストールしたアプリを起動して、最初のトラッキングを行う時のみ（そのアプリについてトラッキングが未だ行われていないと判別された場合にのみ）にアンドロイド携帯通信端末１０からトラッキング開始指示を受け、さらにブラウザが、広告代理及び管理サーバ１３を経由する際にクッキー領域１０ａからクッキー情報を取得し、広告代理及び管理サーバ１３に対して送出することにより、クッキー情報内の広告・プログラム管理ＩＤ及び広告媒体サイトＩＤに基づいて購入ログをデータベース１３ａに記憶する。
【００８７】
報告モジュール１３ｂ６は、データベース１３ａ内の報酬条件を参照してアフィリエイト報酬額を求めてデータベース１３ａに格納する。報酬額には、商品購入に伴う成果報酬額以外に、広告のクリック回数（広告クリック回数）に基づくアクセス報酬額、広告の実効的な表示回数（広告表示回数）に基づくインプレッション報酬額等を加算してもよい。
【００８８】
広告効果測定ユニット１３ｃは、広告表示回数、広告クリック回数、及びアプリ購入数等を読み出し及び集計することにより、各バナー広告の費用対効果を表すための各種指標を算出する。この指標としては、例えば、（広告クリック回数）／（広告表示回数）で求められるクリック率ＣＴＲ（クリックスルーレート）、及び（アプリ購入数）／（広告表示回数）で求められるコンバージョン率ＣＶＲ（コンバージョンレート）等がある。広告効果測定ユニット１３ｃは、各広告バナー毎にこれら指標を算出する。
【００８９】
本実施形態において、ユーザがアプリを購入するまでの処理動作は図１の実施形態の場合と同様であり、また、ユーザがアプリを購入した後、アフィリエイタに成果報酬が支払われるまでの処理動作も図１又は図７の実施形態の場合と同様であるため、説明を省略する。
【００９０】
図９は本実施形態における広告効果測定処理の一例を示すフローチャートである。
【００９１】
以下、本実施形態の広告効果測定処理動作について、この図９を用いて具体的に説明する。
【００９２】
図４又は図７の処理動作が終了した後、広告代理及び管理サーバ１３の広告効果測定ユニット１３ｃは、データベース１３ａから、特定の日付の特定の広告バナーについて、集計されている広告表示回数、広告クリック回数及びアプリ購入数を読み出す（図９のステップＳ５１）。
【００９３】
これらの数値から、各広告バナーについて各日付毎の費用対効果の指標を算出する（図９のステップＳ５２）。この算出は、クリック率ＣＴＲ＝（広告クリック回数）／（広告表示回数）、及びコンバージョン率ＣＶＲ＝（アプリ購入数）／（広告表示回数）から行われる。
【００９４】
次いで、このように求めた費用対効果の指標をその広告バナーについての成果報酬額と共に出力する（図９のステップＳ５３）。
【００９５】
以上詳細に説明したように、本実施形態によれば、広告媒体サイト１１に掲載されたアプリ（商品）の広告をユーザがアンドロイド携帯通信端末１０からクリックすることにより、その広告に関するアプリの広告主サイトであるアプリサービスサイト１２へ誘導される。これらのアプリには、そのアプリについてトラッキングが未だ行われていないかどうかを認識できる情報とブラウザを起動するプログラム又はアプリ自体でクッキー情報を取得するプログラムとが組み込まれており、ユーザがアプリサービスサイト１２からそのアプリを購入してインストールして起動して、最初のトラッキングを行う時のみ（そのアプリについてトラッキングが未だ行われていないと判別された場合にのみ）、ブラウザが起動され、ブラウザの保持するクッキー情報が広告代理及び管理サーバ１３へ送られ、トラッキングが開始されてその購入したアプリの広告の広告媒体サイト１１が特定されるか、又はアプリによって広告代理及び管理サーバ１３において再度クッキー情報が作成され、このアプリが用意する領域に格納され、このアプリの保持するクッキー情報が広告代理及び管理サーバ１３へ送られ、トラッキングが開始されてその購入したアプリの広告の広告媒体サイト１１が特定される。次いで、その広告媒体サイト１１のアフィリエイタの成果報酬が算出されて、その成果報酬が支払われる。その後、広告の効果として、費用対効果の指標が算出されて出力される。トラッキングが未だ行われていないと判別された場合にのみトラッキングが行われるので、そのアプリについて１回のみのトラッキングが行われることとなり、正しい購入情報を獲得することができる。また、本実施形態では、アンドロイド携帯通信端末１０のブラウザが保存しているクッキー情報をアプリが利用できない場合にもアプリサービスサイト１２の設定を変更することなく、トラッキング開始が可能となるので、アンドロイド携帯通信端末において、広告の効果測定を容易に行え、アンドロイドアプリの製作者又は販売者にとって、効果的な広告及び宣伝方法を容易に知ることができる。
【００９６】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００９７】
１０  アンドロイド携帯通信端末
１０ａ  クッキー領域
１１  広告媒体サイト
１２  アプリサービスサイト
１３  広告代理及び管理サーバ
１３ａ  データベース
１３ｂ  アフィリエイトサービスユニット
１３ｂ１  インプレッションモジュール
１３ｂ２  アクセス集計モジュール
１３ｂ３  クッキー発行モジュール
１３ｂ４  リダイレクトモジュール
１３ｂ５  トラッキングモジュール
１３ｂ６  報告モジュール
１４  インターネット
１５  広告主
【図１】
0005801114.tif 000002
【図２】
0005801114.tif 000003
【図３】
0005801114.tif 000004
【図４】
0005801114.tif 000005
【図５】
0005801114.tif 000006
【図６】
0005801114.tif 000007
【図７】
0005801114.tif 000008
【図８】
0005801114.tif 000009
【図９】
0005801114.tif 000010